(57)【要約】【課題】本発明は手ぶれを防止する補助具であって、首や肘などを固定せず自由に撮影することができ、長時間のビデオ撮影を行っても疲れることのなく、持ち運びが容易なビデオ撮影用補助具を提供することにある。【解決手段】腕当面１１ａを有する副腕板１１を、脇当面１２ａを有する副脇板１２や補助エプロン３、３ａ等を介して保持するようにした補助具１、２、６又はエプロン付補助具７とする。また、エプロン３１と肩たすき３４と腰ベルト３２等からなる胸当具３ｂに、受ベルト３５や受ピン３６ａを有する受ベース３６などの受具を設けたビデオ撮影用の補助エプロン３、３ａとする。さらに、空気袋４１、５１を主体とする補助具であって、正面視において楕円の一部を切り取った概略太めの三日月形状を有する補助具４、又は概略三角形の厚板形状を有する補助具５とする。【選択図】　　　　　　　図１
2004140476.tif 000002
【特許請求の範囲】
【請求項１】
腕当面を有する副腕板の片方の端部と脇当面を有する副脇板の片方の端部において、前記副腕板と前記副脇板とを互いに旋回可能に結合した補助具であって、
前記結合した片方の端部から適宜離れた位置において、前記副腕板と前記副脇板とを２個のリンクで連結し、前記副腕板と前記リンクとの間及び前記副脇板と前記リンクとの間さらに前記２個のリンクの間をそれぞれ回転可能に結合し、
前記副腕板には、腕に副腕板を取り付けるための締具を設けたことを特徴とするビデオ撮影用の補助具。
【請求項２】
腕当面を有する副腕板であって締具を有するものと、その片方の端部においてストッパを抜き差し可能に保持するフレームとを、前記副腕板の片方の端部と前記フレームの他方の端部において回転可能に結合し、
前記ストッパは先端部に差込部と止部を有するものとし、さらに前記フレームと前記ストッパ間の抜き差し移動を固定する固定具を設けたことを特徴とするビデオ撮影用の補助具。
【請求項３】
腕当面を有する副腕板であって締具を有するものと、その片方の端部を凹部又は凸部としたリンクとを、前記副腕板の片方の端部と前記リンクの他方の端部において回転可能に結合してなることを特徴とするビデオ撮影用の補助具。
【請求項４】
脇から胸にかけて体の一部を覆うエプロンと、前記エプロンの上部に取り付けた肩たすきと、前記エプロンの下部に取り付けた腰ベルトとを有する胸当具であって、
ビデオ撮影用の補助具の支持に使用する受具を有することを特徴とするビデオ撮影用の補助エプロン。
【請求項５】
請求項４に記載した補助エプロンであって受具が、受ベルト又は凸部を有する受ベース又は凹部を有する受ベース、のいずれかであることを特徴とするビデオ撮影用の補助エプロン。
【請求項６】
請求項１に記載した補助具又は請求項１に記載した補助具であって締具のないものと、請求項４に記載した胸当具（請求項４に記載した補助エプロンであって受具のないもの）の組合せであって、
前記補助具の副脇板を前記胸当具のエプロンに取り付けたことを特徴とするビデオ撮影用のエプロン付補助具。
【請求項７】
腕当面と脇当面を有する空気袋からなる補助具であって、前記腕当面を腕に当てた状態で前記空気袋を腕に取り付けるための締具を有し、
前記空気袋が正面視において円又は楕円の一部を切り取った概略太めの三日月形状を有するものとしたことを特徴とするビデオ撮影用の補助具。
【請求項８】
腕当面と脇当面を有する空気袋からなる補助具であって、前記腕当面を腕に当てた状態で前記空気袋を腕に取り付けるための締具を有し、
前記空気袋が前記腕当面と前記脇当面と斜面とからなる概略三角形の厚板形状を有するものとしたことを特徴とするビデオ撮影用の補助具。
【請求項９】
請求項１、請求項７、請求項８のいずれかに記載したビデオ撮影用補助具において、脇当面を摩擦抵抗の大きな面としたことを特徴とするビデオ撮影用補助具。
【請求項１０】
請求項１、請求項６〜請求項９のいずれかに記載したビデオ撮影用補助具において、平面視において使用状態における腕当面と脇当面の中心線間の角度が５〜１５度であることを特徴とするビデオ撮影用補助具。
【発明の詳細な説明】
【０００１】
【発明の属する技術分野】
本発明は、家庭用ビデオカメラで撮影を行う場合の手ぶれを防止する補助具であって、撮影するときに腕に発生する疲れを防止することにより、長時間に渡り疲れることなく手ぶれのないビデオ影像の撮影を、容易に行うことを可能としたビデオ撮影用補助具及び補助エプロンに関する。
【０００２】
【従来の技術】
従来のビデオ撮影用補助具としては、撮影者の手首、下腕、肘、上腕及び胴体のそれぞれ互いの相対位置関係を一定の状態に保持する手ぶれ防止装置があった（例えば、特許文献１参照）。
しかし、係る発明は複雑であって体への取り付け箇所が多く、多くの角度調整や距離調整などを必要とする。このため使用に際し多大な取り付け時間と手間を要する問題を有していた。
また、撮影者の手首、下腕、肘、上腕などの位置関係を固定するため、ビデオ撮影の対象が移動した場合には体全体の向きを変える必要が生じ、特に上下方向に移動した場合は、腰を曲げたり反らしたりしなければならず、自由に撮影することができない問題を有していた。
また、撮影者の手首、下腕、肘、上腕などの位置関係を固定するため、これらを自由に動かすことができずに疲れてしまう。このため、かえって長時間のビデオ撮影ができない問題を有していた。
さらに、複雑な構成としたため部品点数が多く高価なものとなるだけでなく、重量が重くなり持ち運びに不便であったり、体力の弱い人には長時間保持できず使用することができない問題を有していた。
【０００３】
【特許文献１】
特開２００１−３４３７０１号公報（全頁、全図）
【０００４】
【発明が解決しようとする課題】
本発明は、上記した従来技術の欠点を除くためになされたものであって、その目的とするところは、複雑であって体への取り付け箇所が多く、多くの角度調整や距離調整などを必要とする従来発明の有する、使用に際し多大な取り付け時間と手間を要する問題をなくし、簡単に取り付け取り外し可能であって調整容易なビデオ撮影用補助具を提供することにある。
また、撮影者の手首、下腕、肘、上腕などの位置関係を固定しない構成とすることにより、ビデオ撮影の対象が移動した場合にも体全体の向きを変える必要がなく、自由に撮影することができるビデオ撮影用補助具を提供することにある。
さらに、撮影者の手首、下腕、肘、上腕などを自由に動かすことができる構成とすることにより、長時間のビデオ撮影を行っても疲れることのないビデオ撮影用補助具を提供することにある。
また、単純で部品点数が少なく、そのため安価で重量が軽く、体力の弱い人でも長時間使用することが可能なビデオ撮影用補助具を提供することにある。
さらに、使用しないときには小さく収納可能な構成として、持ち運びが容易なビデオ撮影用補助具を提供することにある。
【０００５】
【課題を解決するための手段】
請求項１の発明は、腕当面を有する副腕板の片方の端部と脇当面を有する副脇板の片方の端部において、前記副腕板と前記副脇板とを互いに旋回可能に結合した補助具とする。
旋回可能に結合する構成としては、織布、不織布、皮革、樹脂など折れ曲がり可能な材料で結合したり、バネ材や蝶番を使用したり、ピンを介して回転可能に結合する構成などが好ましい。
また、前記結合した片方の端部から適宜離れた位置において前記副腕板と前記副脇板とを、例えばブラケットを介して２個のリンクで連結し、前記副腕板や前記副脇板に取り付けた前記ブラケットと前記リンクとの間をそれぞれ回転可能に結合し、さらに前記２個のリンクの間も回転可能に結合する。
このとき、前記２個のリンクを一直線にしたときに前記副腕板と前記副脇板との間の角度が側面視において概略６０度〜９０度になるようにする。また、前記リンクの長手軸方向の負荷により、前記２個のリンク間が折れ曲がることなく一直線の状態を維持するよう、前記ピンと前記リンク間の嵌合をきつくしたり、前記ピンの先端にネジを設けてナットで締め付ける構成としたり、あるいはストッパを取り付けたりする。
さらに、前記副腕板を腕に取り付けるための締具を設けたビデオ撮影用の補助具とする。前記締具としては、ベルトとマジックテープ（登録商標、以下同じ）の組合せ、ベルトとマジックテープと棒を枠形状に折り曲げてなるリングの組合せ、ベルトとバックルとの組合せ、ぱっちん錠を使用したものなどが好ましい。
請求項２の発明は、腕当面と締具を有する副腕板の片方の端部に、例えばブラケットを設けたものとする。
そして、その片方の端部においてストッパを抜き差し可能に保持するフレームを設け、前記フレームの他方の端部と前記副腕板の片方の端部に設けた前記ブラケットとを回転可能に結合する。
さらに、前記ストッパの先端には差込部と止部を設け、前記フレームと前記ストッパ間の抜き差し移動を可能な状態から固定状態とする固定具を設けたビデオ撮影用の補助具とする。
前記固定具としては、ボルトでストッパを押し付けるものや、多数の穴を明けたフレームとバネを介して突起を取り付けたストッパの組合せとして、前記突起が前記穴に突き出た状態で固定し前記突起を押し込むと抜き差し可能となるものや、偏心軸を使ってこれを回転させてフレームにストッパを押し付けるものなどが好ましい。
請求項３の発明は、腕当面と締具を有する副腕板の片方の端部に、例えばブラケットを設けたものとする。
そして、その片方の端部を凹部又は凸部としたリンクを設け、前記リンクの他方の端部と前記副腕板の片方の端部に設けた前記ブラケットとを回転可能に結合してなるビデオ撮影用の補助具とする。
請求項４の発明は、脇から胸にかけて体の一部を覆うエプロンと、前記エプロンの上部に取り付けた肩たすきと、前記エプロンの下部に取り付けた腰ベルトとで胸当具を構成する。
さらに、ビデオ撮影用の補助具の支持に使用する受具を取り付けた、ビデオ撮影用の補助エプロンとする。受具は副腕板を支持する部材を受け持つ部材であって、その負荷を補助エプロンに伝える機能を有するものをいう。
請求項５の発明は、請求項４に記載した補助エプロンであって受具を、受ベルト又は凸部を有する受ベース又は凹部を有する受ベースの、いずれかとしたビデオ撮影用の補助エプロンとする。
前記受具は支持する相手側との関係で、相手側が凸部であれば受具を凹部とし相手側が凹部であれば受部を凸部とするとよい。
【０００６】
請求項６の発明は、請求項１に記載した補助具又は請求項１に記載した補助具であって締具のないものと、請求項４に記載した補助エプロンであって受具のない胸当具の組合せとする。
そして、前記補助具の副脇板を前記胸当具のエプロンに取り付けたことを特徴とするビデオ撮影用のエプロン付補助具とする。
請求項７の発明は、腕当面と脇当面を有する空気袋からなる補助具とし、前記腕当面を腕に当てた状態で、前記空気袋を腕に取り付けるための締具を設ける。
そして、前記空気袋が正面視において円又は楕円の一部を切り取った概略太めの三日月形状を有するものとする。このようにすると中央部から両端部に向かうに従い前記空気袋の断面が段々細くなり、コンパクトなビデオ撮影用の補助具となる。
請求項８の発明は、腕当面と脇当面を有する空気袋からなる補助具とし、前記腕当面を腕に当てた状態で、前記空気袋を腕に取り付けるための締具を設ける。
そして、空気袋が腕当面と脇当面と斜面とからなる概略三角形の厚板形状を有するものとする。このとき側面視において、前記腕当面と前記脇当面の間の角度を概略６０〜９０度とすることが好ましい。
さらに、前記腕当面と前記斜面の角部と前記脇当面と前記斜面の角部の両方を面取りしてなる概略三角形の厚板形状を有するように構成したビデオ撮影用の補助具とすることが好ましい。
請求項９の発明は、請求項１、請求項７、請求項８のいずれかに記載したビデオ撮影用補助具において、脇当面を摩擦抵抗の大きな面としたビデオ撮影用補助具とする。
摩擦抵抗の高い面とする構成にはゴム材や繊維や皮革などを使ったり、表面形状に物理的な凹凸を施したり、マジックテープを使うなどいろいろな構成があり特に限定するものではない。
請求項１０の発明は、請求項１、請求項６〜請求項９のいずれかに記載したビデオ撮影用補助具において、使用状態の平面視における腕当面と脇当面の中心間の角度（図２に角度Ａとして例示した。）を５〜１５度としたビデオ撮影用補助具とする。特にこの角度を１０度程度とすることが好ましい。
【０００７】
【発明の実施の形態】
以下本発明の実施例を図面に示し説明する。図１及び図２に示した第１実施例の補助具１は、腕９の面に概略合わせた曲面とした不織布の腕当面１１ａを有する副腕板１１と、体の胸から脇にかけての面に概略合わせた曲面とした皮革の脇当面１２ａを有する副脇板１２からなるものとした。
また、副腕板１１の片方の端部と副脇板１２の片方の端部を蝶番１７で互いに旋回可能に連結し、平面視において副腕板１１の中心線と副脇板１２の中心線との間の角度Ａが１０度となるようにした。
また、副腕板１１と副脇板１２の他方の端部にそれぞれブラケット１６を設け、前記２個のブラケット１６の間を２個のリンク１４で連結した。このとき、ブラケット１６とリンク１４の間及び２個のリンク１４の間をピン１５を介して回転可能に結合した。
本実施例では、２個のリンク１４を一直線にしたときに副腕板１１と副脇板１２との間の角度が側面視において概略９０度になるように構成した。また、リンク１４とピン１５との嵌合をきつくして、リンク１４の長手軸方向の負荷に対して、一直線の状態を維持することを可能とした。
さらに例えば、ブラケット１６の位置を可変としたり、リンク１４の長さを可変とするなどして、２個のリンク１４を一直線にしたときに副腕板１１と副脇板１２との間の角度が側面視において概略６０度〜９０度の間で調節可能に構成すると好ましい。
そして、副腕板１１にはマジックテープ付きのＡベルト１３ａと、棒を四角の枠形状に折り曲げてなるリング１３ｃと、Ｂベルト１３ｂとからなる締具１３を取り付けてなる補助具１とした。
図３に示した第２実施例の補助具２は、締具１３を有する副腕板１１の片方の端部にブラケット１６を設け、四角のパイプ断面を有するフレーム２１の他方の端部とブラケット１６とをピン１５を介して回転可能に結合した。
また、その片方をフレーム２１の中に抜き差し可能としたストッパ２２を設け、ストッパ２２の他方の先端部を折り曲げて差込部２２ｂとし、差込部２２ｂの上部には止部２２ａを取り付けた。
さらに、フレーム２１の片方の端部には固定具としてボルト２１ａを設け、ボルト２１ａを弛めたときにはストッパ２２を抜き差し可能とし、ボルト２１ａを締めたときにはストッパ２２の抜き差しを固定する構成とした。
【０００８】
図４に示した第３実施例の補助エプロン３は、脇から胸にかけて体の一部を覆うエプロン３１と、その上部に取り付けた肩たすき３４と、その下部に取り付けた腰ベルト３２及びリング３３とからなる胸当具３ｂと、胸当具３ｂの前面に受具を取り付けてなる補助エプロン３とする。
本実施例では、肩たすき３４はマジックテープ付きのＡベルト３４ａと、棒を四角の枠形状に折り曲げてなるリング３４ｃと、Ｂベルト３４ｂとからなる肩たすき３４とした。
また、腰ベルト３２はマジックテープを有し、棒を四角の枠形状に折り曲げてなるリング３３と共にエプロン３１を腰に固定する機能を有するものとした。
さらに、エプロン３１の前面には受具として強度の高いベルトからなる受ベルト３５を取り付けてなる補助エプロン３とした。
図６には第４実施例の補助具６と補助エプロン３ａを示した。
補助具６は、締具１３を有する副腕板１１の片方の端部にブラケット１６を設け、片方の端部に凹部６１ａを有するリンク６１の他方の端部とブラケット１６とをピン１５を介して回転可能に結合してなる補助具６とした。
一方補助エプロン３ａは上記した胸当具３ｂに対して、凸部としての受ピン３６ａを有する受ベース３６を取り付けてなる補助エプロン３ａとした。
図７に示した第５実施例のエプロン付補助具７は、第１実施例に記載した補助具１であって締具１３のないものと上記した胸当具３ｂとの組合せとし、補助具の副脇板１２をエプロン３１の前面に直接取り付けてなるエプロン付補助具７とした。この場合には副脇板１２の脇当面１２ａに摩擦係数の高いものを使用する必要はない。
【０００９】
図８と図１０にそれぞれ示した第６実施例と第７実施例の補助具４、５は共に空気袋４１、５１を主体とした。
第６実施例の補助具４は、正面視において楕円の一部を切り取った概略太めの三日月形状を有するものとし、中央部を最も厚くして前後面を両方とも脇当面４１ｂとし、それぞれ樹脂の突起を多数設けて摩擦抵抗の高い面とした。
さらに、三日月形状の内側を腕当面４１ａとし、中央部の脇当面４１ｂから両端部４１ｃに向かうに従い、空気袋の断面が段々細くなるようにし、両端部４１ｃを締具４２で締めて腕９に固定する構成とした。
また締具４２は、マジックテープ付きのＡベルト４２ａと、棒を四角の枠形状に折り曲げてなるリング４２ｃと、Ｂベルト４２ｂとからなるものとした。
第７実施例の補助具５は、腕当面５１ａと胸当面５１ｂと斜面５１ｃとで概略直角三角形の厚板形状を有するものとし、さらに腕当面５１ａと斜面５１ｃとの角部及び脇当面５１ｂと斜面５１ｃとの角部を両方共面取りしてなる概略直角三角形の厚板形状を有するように構成した。
そして、腕当面５１ａを腕の面に概略合わせた曲面とし、脇当面５１ｂを体の胸から脇にかけての面に概略合わせた曲面としたゴムの脇当面５１ｂとした。
さらに、マジックテープ付きのＡベルト５２ａと、棒を四角の枠形状に折り曲げてなるリング５２ｃと、Ｂベルト５２ｂとからなる締具５２を設けた。
本実施例においては、空気を吹き込んで膨らましたときに、平面視において腕当面５１ａの中心線と脇当面５１ｂの中心線との間の角度（図２のＡに相当する角度）を１０度となるようにした。
【００１０】
本発明に係る各実施例の使用方法を説明する。第１実施例の補助具１は、脇当面１２ａを胸から脇にかけて当て、リンク１４を一直線にすると、図１に示したように副腕板１１と副脇板１２とが開いた状態になる。
次ぎに、腕９を腕当面１１ａにのせた状態にして、副腕板１１ａを締具１３で腕９に固定する。固定するときには、Ａベルト１３ａで腕９を巻いて一端リング１３ｃに通した後に、折り返してマジックテープでＡベルトの先端をＡベルト自身に取り付ける。
第２実施例の補助具２の使用方法を図３に示し説明する。腕９を腕当面１１ａにのせた状態にして、副腕板１１を締具１３で腕９に固定する。そして、フレーム２１からストッパ２２を抜き出して差込部２２ｂを腰ベルト１０に差し込み、差込部２２ｂと止部２２ａの間に腰ベルト１０が入るようにして、ボルト２１ａを締めてストッパ２２をフレーム２１に固定する。
第３実施例の補助エプロン３の使用方法を図５に示し説明する。予めＡベルト３４ａをリング３４ｃに通した後に、折り返してマジックテープでＡベルト３４ａの先端をＡベルト３４ａ自身に取り付けておく。
そして、エプロン３１を胸から脇にかけて取り付ける。このとき腕９を肩たすき３４に通し、腰ベルト３２で腰を巻いて一端リング３３に通した後に、折り返してマジックテープで腰ベルトの先端を腰ベルト自身に取り付けて、補助エプロン３を体に固定する。
その後第２実施例の補助具２を腕９に取り付けて、ストッパ２２の差込部２２ｂを受ベルト３５の裏に差し込み、差込部２２ｂと止部２２ａの間に受ベルト３５が入るようにして、ボルト２１ａを締めてストッパ２２をフレーム２１に固定する。
【００１１】
第４実施例の補助具６と補助エプロン３ａの使用法を図６示し説明する。補助エプロン３ａを第３実施例と同様にして体に取り付け、さらに補助具６を腕９に取り付けて、リンク６１の片方の端部の凹部６１ａを受ベース３６の受ピン３６ａにのせて使用する。
第５実施例の補助具７の使用法を図７に示し説明する。補助エプロン３ｂを第３実施例と同様にして体に取り付け、リンク１４を一直線にして副腕板１１と副脇板１２とが開いた状態にして、腕当面１１ａに腕９をのせて使用する。
第６実施例の補助具４と第７実施例の補助具５の使用法は、それぞれ図９と図１１に示したように、腕当面４１ａ、５１ａを腕９に当てて、Ａベルト４２ａ、５２ａで腕９を巻いて一端リング４２ｃ、５２ｃに通した後に、折り返してマジックテープでＡベルト４２ａ、５２ａの先端をＡベルト自身に取り付けて、補助具４、５を腕９に固定する。その後に、脇当面４１ｂ、５１ｂを胸から脇にかけて当てるようにして使用する。
いずれの実施例においても、手にビデオカメラ８を持って撮影するが、腕９を補助具１、２、４、５、６、７を介して、体の腰や胸や脇などに対して固定することができるため、カメラを固定することが容易となり手ぶれを防止することができる。
また、いずれの実施例においても、腕９から先の重さを補助具１、２、４、５、６、７を介して、体の腰や胸や脇により受けるため、長時間撮影しても疲れることがなく、疲れによる手ぶれを防止することができる。
また、補助エプロン３、３ａを使用する場合や、エプロン付き補助具７を使用する場合は、腕９から先の重さをエプロン３１を介して体全体で受けるため、さらに長時間撮影しても疲れることがない。
さらに、いずれの実施例においても撮影に使用しない場合は、折りたたんだり差し込んだり空気を抜くなどして、小さく収納可能な構成としたので、持ち運びや保管に便利である。
【００１２】
【発明の効果】
本発明により、従来発明の有する使用に際し多大な取り付け時間と手間を要する問題をなくし、簡単に取り付け取り外し可能であって調整容易なビデオ撮影用補助具を提供することができた。
また、撮影者の手首、下腕、肘、上腕などの位置関係を固定しない構成としたので、ビデオ撮影の対象が移動した場合にも体全体の向きを変える必要がなく、自由に撮影することができるビデオ撮影用補助具を提供することができた。
さらに、撮影者の手首、下腕、肘、上腕などを自由に動かすことができる構成としたので、長時間のビデオ撮影を行っても疲れることのないビデオ撮影用補助具を提供することができた。
また、単純で部品点数が少なく、そのため安価で重量が軽く、体力の弱い人でも長時間使用することが可能なビデオ撮影用補助具を提供することができた。
さらに、使用しないときには小さく収納可能な構成ととして、持ち運びや保管が容易なビデオ撮影用補助具を提供することができた。
【図面の簡単な説明】
【図１】本発明の第１実施例の斜視図である。
【図２】本発明の第１実施例の平面図である。
【図３】本発明の第２実施例とその使用状態を表した側面図である。
【図４】本発明の第３実施例の斜視図である。
【図５】本発明の第２実施例と第３実施例の使用状態を表した側面図である。
【図６】本発明の第４実施例の使用状態を表した側面図である。
【図７】本発明の第５実施例とその使用状態を表した側面図である。
【図８】本発明の第６実施例の正面図である。
【図９】本発明の第６実施例の使用状態を表した側面図である。
【図１０】本発明の第７実施例の斜視図である。
【図１１】本発明の第７実施例の使用状態を表した側面図である。
【符号の説明】
１　：補助具　　　　　　２　：補助具　　　　　　３　：補助エプロン
３ａ：補助エプロン　　　３ｂ：胸当具　　　　　　４　：補助具
５　：補助具　　　　　　６　：補助具　　　　　　７　：エプロン付補助具
１１　：副腕板　　　　　１１ａ：腕当面　　　　　１２　：副脇板
１２ａ：脇当面　　　　　１３　：締具　　　　　　１４　：リンク
１５　：ピン　　　　　　１６　：ブラケット　　　２１　：フレーム
２２　：ストッパ　　　　２２ａ：止部　　　　　　２２ｂ：差込部
３１　：エプロン　　　　３２　：腰ベルト　　　　３３　：リング
３４　：肩たすき　　　　３５　：受ベルト　　　　３６　：受ベース
３６ａ：受ピン　　　　　４１　：空気袋　　　　　４１ａ：腕当面
４１ｂ：脇当面　　　　　４１ｃ：端部　　　　　　４２　：締具
５１　：空気袋　　　　　５１ａ：腕当面　　　　　５１ｂ：脇当面
５１ｃ：斜面　　　　　　５２　：締具　　　　　　６１　：リンク
６１ａ：凹部
【図１】
2004140476.tif 000003
【図２】
2004140476.tif 000004
【図３】
2004140476.tif 000005
【図４】
2004140476.tif 000006
【図５】
2004140476.tif 000007
【図６】
2004140476.tif 000008
【図７】
2004140476.tif 000009
【図８】
2004140476.tif 000010
【図９】
2004140476.tif 000011
【図１０】
2004140476.tif 000012
【図１１】
2004140476.tif 000013